(57)【要約】【目的】コストを節約するとともに、組み立てプロセスを簡略化する係合機構を提供する。【解決手段】ハウジングを有する装置へ組み込みこまれることに適した係合機構を提供する。その係合機構は、ポストと、ラッチ要素と、プランジャーアセンブリーと、操作要素とを含む。ラッチ要素が少なくとも１つの開口を有し、プランジャーアセンブリーがラッチ要素の一側に配置され、かつ操作要素がラッチ要素と連結している。操作要素がロック位置にある時、ポストが開口を通過するとともに、プランジャーアセンブリーを押圧し、かつポストがラッチ要素によって制限される。操作要素が非ロック位置へ移動する時、操作要素がラッチ要素を駆動しポストとの関係において水平に移動させて、ラッチ要素がポストを制限から開放するとともに、プランジャーアセンブリーがラッチ要素との関係において垂直に移動し、ポストを開口の外へ押し出すものである。【選択図】図８
2010198591.tif 000002
【特許請求の範囲】
【請求項１】
係合機構であって、ハウジングを有する装置へ組み込まれるために、前記係合機構が：
少なくとも１つのポストと；
少なくとも１つの開口を有するラッチ要素と；
前記ラッチ要素の一側に配置される少なくとも１つのプランジャーアセンブリーと；
前記ラッチ要素に接触する操作要素とを備え、
そのうち、前記操作要素がロック位置にある時、前記ポストが前記開口へ挿入され、かつ前記プランジャーアセンブリーを押すとともに、それにより前記ポストが前記ラッチ要素によって制限され、かつ
前記操作要素が非ロック位置へ移動する時、前記操作要素が前記ラッチ要素を駆動し前記ポストとの関係において水平に移動させて、前記ラッチ要素が前記ポストを制限から開放するとともに、前記プランジャーアセンブリーが前記ラッチ要素との関係において垂直に移動し、前記ポストを前記開口の外へ押し出すものである、係合機構。
【請求項２】
前記操作要素が、押圧要素またはスライド要素である請求項１に記載の係合機構。
【請求項３】
更に、前記ラッチ要素上に配置されるガイドブロックを備えるとともに、前記ガイドブロックが第２斜面を有し、そのうち、前記操作要素が、前記ラッチ要素を水平に移動するようガイドするために前記第２斜面に接触する第１斜面を有するものである請求項１に記載の係合機構。
【請求項４】
更に、前記ラッチ要素に連結した弾性部材を備えて、水平移動した前記ラッチ要素を逆方向に押しやるものである請求項１に記載の係合機構。
【請求項５】
前記ラッチ要素が、フラット連動要素またはスライドブラケットである請求項１に記載の係合機構。
【請求項６】
前記プランジャーアセンブリーが：
変形後に押圧力を有するプランジ弾性要素と；
前記プランジ弾性要素上に配置されたプランジャーと
を備えるものである請求項１に記載の係合機構。
【請求項７】
前記プランジャーアセンブリーが、更に、前記プランジ弾性要素上に配置された停止部を備えて、水平移動した前記ラッチ要素の復帰運動の距離を制限するものである請求項６に記載の係合機構。
【請求項８】
前記プランジャーアセンブリーが、更に、補助弾性要素を備えて、前記プランジャーアセンブリーの押圧力を増大するものである請求項６に記載の係合機構。
【請求項９】
前記補助弾性要素および前記プランジャーが一体的に形成されるとともに、それぞれ前記プランジ弾性要素の両側に配置され、かつ、前記プランジ弾性要素が弾性プレートであるとともに、前記補助弾性要素が前記プランジ弾性要素と平行な弾性プレートである請求項８に記載の係合機構。
【請求項１０】
前記補助弾性要素および前記プランジ弾性要素がそれぞれ前記ハウジングに組み込まれるとともに、前記補助弾性要素がスプリングである請求項８に記載の係合機構。
【請求項１１】
前記ハウジングが第１ハウジングおよび第２ハウジングを有し、前記第１ハウジングが前記第２ハウジングに対して開閉することに適しており、前記ポストが前記第１ハウジング中に位置するとともに、前記ラッチ要素と前記プランジャーアセンブリーと前記操作要素とが前記第２ハウジング中に配置されるものである請求項１０に記載の係合機構。
【請求項１２】
前記第２ハウジングが第３ハウジングおよび第４ハウジングを備え、前記プランジ弾性要素が前記第３ハウジング中に組み込まれ、かつ前記補助弾性要素が前記第４ハウジング中に組み込まれるものである請求項１１に記載の係合機構。
【発明の詳細な説明】
【技術分野】
【０００１】
本発明は、係合機構（fastening mechanism）に関し、特に、組み立てプロセスを簡略化できる係合機構に関する。
【背景技術】
【０００２】
ノートブック型コンピューターを使用する時、ユーザーは、先ずノートブック型コンピューターの先端中にあるノブスイッチ（knob switch）を押して、それを操作するためにノートブック型コンピューターを開く。図１Ａと図１Ｂとは、従来のノートブック型コンピューターおよび、そのノブスイッチ構造を示す概略説明図である。図１Ａと図１Ｂとに示すように、ノートブック型コンピューターの上カバー３０は、操作レバー３１と、ノブスイッチ３２と、操作レバーに連結されたスプリング３３とを有する。操作レバー３１がロッキングフック（locking hook）３１ａを有するとともに、ノートブック型コンピューターのベース４０がロッキングフック３１ａに対応するロッキング溝（locking groove）４１を有する。ロッキングフック３１ａがロッキング溝４１中にロックできるので、ノートブック型コンピューターの上カバー３０をベース４０に係合できる。
【０００３】
また、ノブスイッチ３２がユーザーの使用に便利なように上カバー３０のエッジに配置される。従って、ユーザーが上カバー３０をベース４０に閉じる時、ユーザーがノブスイッチ３２を押すと、操作レバー３１が移動すると同時に、スプリング３３が延伸されるので、ロッキングフック３１ａおよびロッキング溝４１が互いにロックされ、かつ上カバー３０とベース４０とが閉鎖状態になる。ユーザーが上カバー３０をベース４０に開ける時、ユーザーが再びノブスイッチ３２を押して操作レバー３１を適当な距離だけ動かすと、ロッキングフック３１ａがロッキング溝４１から開放されるとともに、上カバー３０とベース４０とが互いに分離される。この時、スプリング３３の弾性（復元）力が操作レバー３１を元の位置へ移動させる。
【発明の概要】
【発明が解決しようとする課題】
【０００４】
更に、ノートブック型コンピューターがまたノブ（knob）とラッチ（latch）との組み立て部品一式（assembly）を含むこともできる。しかし、そのような組み立て部品は、ノブを露出するために上カバーに開口を取っておく必要がある。また、更に、もしもノブとラッチとの組み合わせが精確にマッチしなければ、緩み（loosening）又はぐらつき（wobbling）が発生する。その結果、材料および労力につき大量のコストが浪費されてしまう。
【０００５】
そこで、本発明の目的は、コストを節約するとともに、組み立てプロセスを簡略化する係合機構を提供することにある。
【課題を解決するための手段】
【０００６】
本発明は、ハウジングを有する装置へ組み込みこまれることに適した係合機構を提供する。その係合機構は、少なくとも１つのポストと、ラッチ要素と、少なくとも１つのプランジャーアセンブリーと、操作要素とを含む。ラッチ要素が少なくとも１つの開口を有する。プランジャーアセンブリーがラッチ要素の一側に配置され、かつ操作要素がラッチ要素と連結している。操作要素がロック位置にある時、ポストが開口へ挿入されるとともに、プランジャーアセンブリーを押圧し、かつポストがラッチ要素によって制限される。操作要素が非ロック位置へ移動する時、操作要素がラッチ要素を駆動しポストとの関係において水平に移動させて、ラッチ要素がポストを制限から開放するとともに、プランジャーアセンブリーがラッチ要素との関係において垂直に移動し、ポストを開口の外へ押し出すものである。
【０００７】
本発明の係合機構の実施形態中、操作要素が、押圧要素である。
【０００８】
本発明の係合機構の実施形態中、操作要素が、スライド要素である。
【０００９】
本発明の係合機構の実施形態中、操作要素が、ラッチ要素を水平に移動するようガイドするために第１斜面を有するものである。また、係合機構が更にラッチ要素上に配置されるガイドブロックを備え、そのうち、前記ガイドブロックが第１斜面に接触する第２斜面を有するものである。
【００１０】
本発明の係合機構の実施形態中、係合機構が更にラッチ要素に連結した弾性部材を備えて、水平移動したラッチ要素を逆方向に押しやるものである。
【００１１】
本発明の係合機構の実施形態中、操作要素がフラット連動（flat linking）要素である。
【００１２】
本発明の係合機構の実施形態中、操作要素がスライドブラケット（bracket）である。
【００１３】
本発明の係合機構の実施形態中、プランジャーアセンブリーがプランジ弾性要素とプランジャーとを含み、そのうち、プランジャーがプランジ弾性要素上に配置されるとともに、プランジ弾性要素が変形後に押圧力を有するものである。また、プランジャーアセンブリーが、更に、水平移動したラッチ要素の復帰運動の距離を制限するために、非ロック状態においてプランジ弾性要素上に配置された停止部を備えるものである。そのうえ、プランジャーアセンブリーが更に補助弾性要素を備えて、プランジャーアセンブリーの押圧力を増大するものであり、そのうち、補助弾性要素およびプランジャーがそれぞれプランジ弾性要素の両側に配置されるものである。補助弾性要素およびプランジャーが一体的に形成されるものである。
【００１４】
本発明の係合機構の実施形態中、プランジ弾性要素が弾性プレートであるとともに、補助弾性要素がプランジ弾性要素と平行な弾性プレートである。
【００１５】
本発明の係合機構の実施形態中、プランジ弾性要素および補助弾性要素がそれぞれハウジングに組み込まれるものである。
【００１６】
本発明の係合機構の実施形態中、補助弾性要素がスプリングであり、ハウジングが第１ハウジングおよび第２ハウジングを有し、第１ハウジングが第２ハウジングに対して開閉することに適しており、ポストが第１ハウジング中に位置するとともに、ラッチ要素とプランジャーアセンブリーと操作要素とが第２ハウジング中に配置されるものである。また、前記第２ハウジングが第３ハウジングおよび第４ハウジングを含み、プランジ弾性要素が第３ハウジング中に組み込まれ、かつ補助弾性要素が第４ハウジング中に配置されるものである。
【００１７】
以上の観点から、本発明の係合機構のポスト、ラッチ要素およびプランジャーアセンブリーは、金属シート（sheet  metal）から形成されるので、装置中のマグネシウムならびにアルミニウム鋳造物（casting）の量を削減することができ、その結果、コストを低下させるとともに、組み立てプロセスを簡略化するものである。
【発明の効果】
【００１８】
上記に照らし合わせて、本発明の係合機構は、装置中に使用されるマグネシウムおよびアルミニウム鋳造物（casting）の量をより少なくし、結果として、コストを低下させる。また、ポスト、プランジャーアセンブリー、補助弾性要素およびラッチ要素が精密な構成要素ではなく、取り付けが容易なサイズである。更に、構成要素の数量が比較的少なく、組み立て作業員に取り付けの便利さ及び組み立てプロセスにおける簡略性を提供する。そのうえ、係合機構のラッチ要素が内表面に平行な方向において水平に移動するとともに、補助弾性要素およびプランジャーが内表面に垂直な方向において垂直に移動するため、そのような２つの方向における運動によってラッチ要素の移動する距離を減少させることができ、かつ、このようにして、装置中において他の電子部品のより理想的な配置ができる、または電子装置の全般的なサイズが効果的に最小化できる。
【図面の簡単な説明】
【００１９】
【図１Ａ】従来のノートブック型コンピューターおよび、そのスイッチ構造を示す概略説明図である。
【図１Ｂ】従来のノートブック型コンピューターおよび、そのスイッチ構造を示す概略説明図である。
【図２Ａ】本発明の第１実施形態にかかる装置を示す概略説明図である。
【図２Ｂ】図２Ａにおける装置中に組み込まれた係合機構を示す概略説明図である。
【図３】図２Ｂにおけるラッチ要素およびガイドブロックを示す概略説明図である。
【図４】第２ハウジング中に組み込まれた係合機構を示す要部概略説明図である。
【図５】プランジャーアセンブリーを示す概略説明図である。
【図６】図５中のプランジャーアセンブリーを別な視点から示す概略説明図である。
【図７】操作要素および第２ハウジングを示す概略説明図である。
【図８】装置の要部断面を示す概略説明図である。
【図９】図８を示す概略斜視図である。
【図１０】非ロック位置にあるラッチ要素を示す概略説明図である。
【図１１】図１０の断面を示す要部概略説明図である。
【図１２】本発明の第２実施形態にかかる装置を示す要部概略説明図である。
【図１３】図１２中の装置の第２ハウジングおよび補助弾性要素の組み立てを説明する概略説明図である。
【図１４Ａ】ラッチ要素がロック位置に有る時の係合機構および第３ハウジングを示す概略説明図である。
【図１４Ｂ】図１４Ａの断面を示す概略説明図である。
【図１５Ａ】ラッチ要素が移動する時の係合機構および第３ハウジングを示す概略説明図である。
【図１５Ｂ】図１５Ａの断面を示す概略説明図である。
【図１６Ａ】ラッチ要素が非ロック位置にある時の係合機構および第３ハウジングを示す概略説明図である。
【図１６Ｂ】図１６Ａの断面を示す概略説明図である。
【発明を実施するための形態】
【００２０】
以下、本発明を実施するための形態を図面に基づいて説明する。
本発明の係合機構は、ハウジングを有する如何なる装置にも組み込むことができる。背景技術の段落において、ノートブック型コンピューターが関連技術を記載するために実例として使用されており、本発明の実施形態でも同様にノートブック型コンピューターを実例として使用する。しかし、その必要性に基づいて、当業者は、本発明の係合機構を如何なる装置にも組み込むことができるのであって、ノートブック型コンピューターに限定されるものではない。装置は、ブリーフケースまたはスーツケースのような係合を必要とする任意の物としてもよい。
【００２１】
＜第１実施形態＞
図２Ａは、本発明の第１実施形態にかかる装置を示す概略説明図であり、図２Ｂは、図２Ａの装置へ組み込まれた係合機構を示す概略説明図である。図２Ａと図２Ｂとにおいて、装置1000は、第１ハウジング1100および第２ハウジング1200を含むハウジングを有するノートブック型コンピューターである。第１ハウジング1100は、第２ハウジング1200に対して開閉する。係合機構300は、装置1000へ組み込まれるとともに、ポスト370と、ラッチ要素320と、プランジャーアセンブリー340と、操作要素310とを含む。ポスト370は、第１ハウジング1100中にある。ラッチ要素320が少なくとも１つの開口112を有する。プランジャーアセンブリー340がラッチ要素320の一側に配置される。操作要素310がラッチ要素320に接触している。
【００２２】
次に、操作要素310が第１斜面312aを有して、ラッチ要素320を水平にガイドする。また、係合機構300が更にラッチ要素320上に配置されたガイドブロック330を含む。ガイドブロック330が第１斜面312aに連結する第２斜面332を有する。
【００２３】
操作要素310が組み立て端312および押圧フランジ314を有する。組み立て端312は、第２ハウジング1200に組み込まれる。ラッチ要素320が第２ハウジング1200の内表面110上に配置される。この実施形態中、操作要素310は、押圧要素である。図３は、図２Ｂのラッチ要素およびガイドブロックを示す概略説明図である。図２Ｂと図３とにおいて、第２ハウジング1200の内表面110が複数の組み立て柱114を有する。ラッチ要素320は、例えば、フラット連動要素またはスライドブラケットであり、かつ複数のスロット322を有する。組み立て柱114が対応するようにスロット322を通過して、ラッチ要素320が水平に移動することを許容する。スロット322および組み立て柱114間の配合によって、ラッチ要素320の移動距離を制限できる。ラッチ要素320が金属材料により作製されるため、より良い剛性ならびに長い寿命を有する。また、ラッチ要素320の両端の幅がラッチ要素320の中間部分の幅よりも大きい。そうすれば、狭い中間部分によって、装置1000中に配置される他の構成要素のために場所を空けることができる。さらに、ラッチ要素320がラッチ要素320の中間部分に位置する複数の組み立て孔324を有する。ガイドブロック330がラッチ要素320に対向する底面に複数の凸柱334を有する。凸柱334の形状が円柱状であるとともに、ラッチ要素320の組み立て孔324を対応するように通過して、ガイドブロック330がラッチ要素320上へ組み込まれる。
【００２４】
言及すべきことは、操作要素310は、操作要素310が外部環境に露出されるので、通常、プラスチック材料で作製されるとともに、操作要素310の材料は、通常、装置1000のハウジングの材料と同じものが選択されて、装置1000の全体的な外装がより魅力的で、より成形しやすいものとなる。また、ガイドブロック330の第２斜面332が操作要素310の第１斜面312aに接触するので、第１斜面312aおよび第２斜面332の材料は、ともにプラスチックとし、摩耗とともにノイズを回避する。簡単に言えば、ガイドブロック330の材料は、通常、プラスチックが選択されて、第１斜面312aが入ってきて第２斜面332と接触する時に発生する不快なノイズおよび摩耗を防止する。
【００２５】
引き続き、図２Ｂにおいて、この実施形態の係合機構300は、ラッチ要素320の両端にそれぞれ配置される２つのプランジャーアセンブリー340を有する。図４は、第２ハウジング中に組み込まれた係合機構を示す要部概略説明図である。図５は、プランジャーアセンブリーを示す概略説明図である。図６は、図５中のプランジャーアセンブリーを別な視点から示す概略説明図である。図４と図５と図６とにおいて、プランジャーアセンブリー340がプランジャー360とプランジ弾性要素342とを含む。プランジャー360がプランジ弾性要素342上に配置され、かつポスト370に接触する。図４に示すように、各プランジ弾性要素342の一端が第２ハウジング1200の内表面110に固定され、かつ他端が自由端である。プランジ弾性要素342が変形後に押圧力を有して、プランジャー360を内表面110の法線方向（normal direction）Ｎにおいて適当に移動するよう駆動する。言い換えれば、プランジャーアセンブリー340がラッチ要素320に対し垂直に移動して、ポスト370を押すものである。
【００２６】
プランジャーアセンブリー340が更に補助弾性要素350を含んで、プランジ弾性要素342の押圧力を増大し、そのうち、補助弾性要素350およびプランジャー360がプランジ弾性要素342の両側にそれぞれ配置される。この実施形態中、補助弾性要素350は、プランジ弾性要素342と一体的に形成される。例えば、補助弾性要素350は、プランジ弾性要素342の切断部分ならびに切断部分の湾曲により形成される。他の実施形態中、補助弾性要素350は、プランジ弾性要素342と一体的に形成されないとともに、プランジ弾性要素342と平行な弾性プレートである。補助弾性要素350およびプランジ弾性要素342は、それぞれハウジングに組み込まれる。
【００２７】
第２ハウジング1200の内表面110は、例えば形状が円柱状の複数の定位柱116を有する。各プランジャーアセンブリー340のプランジ弾性要素342が定位柱116に対応するように配置された２つの第１定位孔342aを有する。
【００２８】
また、各プランジャーアセンブリー340が更に例えばロックフックである停止部344を含む。ラッチ要素320は、（図３に示すように）ラッチ要素320の２つのより広いエンドに２つの制限開口326を有する。ラッチ要素320が第２ハウジング1200に対してスライドする時、停止部344が制限開口326のエッジを押し、水平移動したラッチ要素320の復帰運動の距離を制限する。この実施形態中、停止部344が例えばプランジ弾性要素342およびプランジ弾性要素342の端に配置される。また、プランジャーアセンブリー340がネジまたは鋲（びょう）(stud)のような複数のロック要素400で第２ハウジング1200に固定される。
【００２９】
再び、図２Ｂにおいて、装置1000が更に弾性要素380を含む。弾性要素380の一端がラッチ要素320に連結されるとともに、他端が第２ハウジング1200の内表面110に連結される。図２Ｂに示す弾性要素380は、圧縮バネである。図２Ｂに示す弾性要素380の位置は、説明のためだけである。本発明の弾性要素380の場所および数量は、本発明の範囲から離れない限りにおいて、必要に応じて変更される。
【００３０】
図７は、操作要素および第２ハウジングを示す概略説明図である。図２Ｂと図７との両方において、第２ハウジング1200が更に操作要素310の押圧フランジ314を露出する開口222を有する側面120を備える。第２ハウジング1200が更に複数の凸柱212を含む。操作要素310の組み立て端312がシュート（chute）と見なされる複数の開口314aを有する。凸柱212が対応するように開口314aを通過して、操作要素310が押圧された後に開口314aを介し凸柱212と関連して移動する。
【００３１】
第２ハウジング1200が更に２つの突出構造214を有する。操作要素310が２つの定位柱316を有する。係合機構300が更に２つの圧縮バネ390を含む。圧縮バネ390の一端が操作要素310の定位柱316に対応するように配置されるとともに、圧縮バネ390の他端が突出構造214に連結される。
【００３２】
図８は、装置の要部断面を示す概略説明図である。図８がロック位置にある係合機構を説明するとともに、図９が図８を示す概略説明図である。図２Ａと図８と図９とにおいて、ラッチ要素320がロック位置に有る時は、通常、装置1000の第１ハウジング1100と第２ハウジング1200とが一緒になって閉じている。この時、第１ハウジング1100の重量がポスト370を介してプランジャー360に力量（force）として与えられ、プランジ弾性要素342の一端および補助弾性要素350の一端がラッチ要素320に関係して垂直に移動する（即ち、法線方向Ｎにおいて下へ傾斜する）。注意すべきことは、補助弾性要素350が圧搾され（squeezed）かつ、それにより変形されて復元力（resilience）を保持するということである。
【００３３】
図４は、非ロック位置へ移動する係合機構を示す概略説明図である。図２Ｂと図４と図７とにおいて、ユーザーが装置1000を開く時、ユーザーが操作要素310の押圧フランジ314を方向Ｄ１に押す（図２Ｂの右上を参照。以下、同じ）。この時、操作要素310が組み立て端312の開口314aおよび凸柱212間の適合を介して方向Ｄ１へ移動する。ユーザーが押圧フランジ314への押動を停止した後、圧縮バネ390の復元力が操作要素310を押して元の位置へ復帰させる。
【００３４】
図２Ｂと図４とに戻って、ユーザーが操作要素310の押圧フランジ314を方向Ｄ１に押した後、操作要素310の組み立て端312の第１斜面312aがガイドブロック330の第２斜面332を押し、ガイドブロック330がラッチ要素320を第２ハウジング1200との関係において移動させる。ラッチ要素320のスロット322の幅d1が内表面110の組み立て柱114の直径d2（図２Ｂの左側を参照）に等しいので、ラッチ要素320が方向Ｄ１に移動することを防止するとともに、方向Ｄ２へ移動できる。同時に、元々は引き伸ばされていた弾性要素380の復元力がラッチ要素320を駆動して方向Ｄ２（復帰方向）へ移動させる。ラッチ要素320が移動し始める時、ポスト370の制限が開放される。従って、補助弾性要素350の復元力がプランジャーアセンブリー340のプランジ弾性要素342およびポスト370を手助けして法線方向Ｎに上方へ移動させる。
【００３５】
図１０は、非ロック位置にあるラッチ要素を示す概略説明図である。図１１は、  図１０の断面を示す要部概略説明図である。図２Ｂと図１０と図１１とにおいて、ラッチ要素320が方向Ｄ２へ移動し非ロック位置となる時、プランジャーアセンブリー340の停止部344がラッチ要素320の制限開口326のエッジを押し、ラッチ要素320の運動距離を制限する。
【００３６】
とりわけ、この実施形態中の係合機構のプランジャーアセンブリー、補助弾性要素、プランジャー、ラッチ要素がスモールサイズの精密構成要素ではないので、容易な取り付けという利点を有する。また、構成要素の数量が従来技術のそれよりも比較的少ないので、それにより組み立てプロセスにおいて組み立て人員に取り付けの利便性および単純性を提供する。さらに、係合機構のラッチ要素が内表面と平行な方向において水平に移動するとともに、補助弾性要素およびプランジャーが内表面と垂直な方向において垂直に移動し、そのような２方向における運動がラッチ要素の移動する距離を減少させることができ、かつ装置中の他の電子部品のより理想的な配置または電子装置の全般的なサイズを効果的に最小化できる。
【００３７】
係合機構の構成要素の上記した配置位置、連結関係ならびに運動は、実例に過ぎない。設計者は、必要に応じて又は装置中の他の構成要素の類型、サイズ、位置からの影響に基づいて、使用される構成要素、配置位置、連結関係、運動を変更することができる。例えば、ユーザーは、押圧動作により操作要素がラッチ要素を駆動するようにするが、他の実施形態中、ユーザーは、また押し出し動作により操作要素がラッチ要素を駆動するようにする。関連性のある共同運動関係もまた対応的かつ適当に変更される。
【００３８】
＜第２実施形態＞
この実施形態は、第１実施形態にほぼ類似しており、そのうち、同一または類似した参照番号は、同一または類似した構成要素を表している。この実施形態および第１実施形態間の差異は、以下に詳細を説明する。
【００３９】
図１２は、本発明の第２実施形態にかかる装置を示す要部概略説明図であり、図１３は、図１２の装置の第２ハウジングおよび補助弾性要素の組み立てを説明する概略説明図である。図１２と図１３とにおいて、この実施形態の第２ハウジング1200は、第３ハウジング1210と第４ハウジング1220とを含む。この実施形態の操作要素2310は、第３ハウジング1210の側面上の開口2222中に移動可能に挿入される。補助弾性要素2350は、スプリングである。第４ハウジング1220の底面が複数の定位柱2212を有するとともに、補助弾性要素2350の一端が定位柱2212に配置される。
【００４０】
図１４Ａは、ラッチ要素がロック位置に有る時の係合機構および第３ハウジングを示す概略説明図であり、図１４Ｂは、図１４Ａの断面を示す概略説明図である。図１４Ａと図１４Ｂとにおいて、ラッチ要素320がロック位置に有る時、ポスト370がプランジャー360に力量を与えてプランジ弾性要素2342および補助弾性要素2350の一端が法線（normal）方向Ｎにおいて下方へ傾斜するとともに、復元力を蓄える。
【００４１】
図１５Ａは、ラッチ要素が移動する時の係合機構および第３ハウジングを示す概略説明図であり、  図１５Ｂは、図１５Ａの断面を示す概略説明図である。図１２と図１５Ａと図１５Ｂとにおいて、ユーザーが方向Ｄ２へ押圧フランジ2314を押す時、それによりラッチ要素320を駆動して方向Ｄ２へ移動させる。ポスト370が制限から開放された後、圧縮バネ380の復元力がラッチ要素320を動かして方向Ｄ２に対向する方向へ移動させる。同時に、補助弾性要素2350の復元力がプランジ弾性要素2342を促してプランジャー360を法線方向Ｎにおいて上方へ移動させるとともに、プランジャー360が更にポスト370を上方へ移動させる。
【００４２】
図１６Ａは、ラッチ要素が非ロック位置にある時の係合機構および第３ハウジングを示す概略説明図であり、図１６Ｂは、図１６Ａの断面を示す概略説明図である。図１６Ａと図１６Ｂとにおいて、ラッチ要素320が非ロック位置にある時、プランジャーアセンブリー2340のプランジ弾性要素2342の停止部2344がラッチ要素320の制限開口326のエッジを押圧してラッチ要素320の最終位置を制止する。言及すべきことは、プランジャーアセンブリー2340のプランジ弾性要素2342の停止部2344が更に平面にまで延伸され、プランジ弾性要素2342が補助弾性要素2350の復元力により駆動されて、プランジャー360を上方へ移動させる時、その平面がラッチ要素320の平面と良好な接触を有することができるようにし、停止部2344が上方への過度に傾斜してラッチ要素320の位置を正確に制止することに失敗することを防止するものである。
【００４３】
以上のごとく、本発明を実施形態により開示したが、もとより、本発明を限定するためのものではなく、当業者であれば容易に理解できるように、本発明の技術思想の範囲内において、適当な変更ならびに修正が当然なされうるものであるから、その特許権保護の範囲は、特許請求の範囲および、それと均等な領域を基準として定めなければならない。
【符号の説明】
【００４４】
110  内表面
114  組み立て柱
116, 316, 2212  定位柱
2210  底面
212  凸柱
120  側面
222  開口
300  係合機構
310, 2310  操作要素
312a  第１ガイド斜面
320  ラッチ要素
322  スロット
326  制限開口
330  ガイドブロック
332  第２ガイド斜面
340, 2340  プランジャーアセンブリー
342, 2342  プランジ弾性要素
344, 2344  停止部
360  プランジャー
380  弾性要素
1000  装置
1100  第１ハウジング
1200  第２ハウジング
1210  第３ハウジング
1220  第４ハウジング
【図１Ａ】
2010198591.tif 000003
【図１Ｂ】
2010198591.tif 000004
【図２Ａ】
2010198591.tif 000005
【図２Ｂ】
2010198591.tif 000006
【図３】
2010198591.tif 000007
【図４】
2010198591.tif 000008
【図５】
2010198591.tif 000009
【図６】
2010198591.tif 000010
【図７】
2010198591.tif 000011
【図８】
2010198591.tif 000012
【図９】
2010198591.tif 000013
【図１０】
2010198591.tif 000014
【図１１】
2010198591.tif 000015
【図１２】
2010198591.tif 000016
【図１３】
2010198591.tif 000017
【図１４Ａ】
2010198591.tif 000018
【図１４Ｂ】
2010198591.tif 000019
【図１５Ａ】
2010198591.tif 000020
【図１５Ｂ】
2010198591.tif 000021
【図１６Ａ】
2010198591.tif 000022
【図１６Ｂ】
2010198591.tif 000023
【外国語明細書】
2010198591000001.pdf